(57)【特許請求の範囲】
【請求項１】
商用電源に接続される充電用接続部を備えて系統電力を蓄電することができるようになされた蓄電装置と、
該蓄電装置の放電用接続部と負荷とを接続して蓄電電力を該負荷に供給するか、商用電源と該負荷とを接続して系統電力を該負荷に供給するかの切換えを行う切換えスイッチと、
停電検知装置と、
制御装置と、
が備えられ、
前記停電検知装置が停電を検知したとき、その検知信号に基づいて、前記制御装置が、前記切換えスイッチに、前記負荷に対する電力供給を系統電力供給から蓄電電力供給に切り換えさせる制御を行い、蓄電電力が該負荷に供給されるようになされており、
前記蓄電装置は、その充電用接続部と商用電源との接続が解除可能であると共に、放電用接続部と前記切換えスイッチとの接続が解除可能で、これら接続を解除することにより持ち運び可能なポータブル性を備えたものからなっており、該接続解除状態において、放電用接続部に電気機器を接続することにより、該電気機器に蓄電電力を供給することができるようになされており、かつ、
前記制御装置は、前記停電検知装置が停電を検知しない通常時において、前記切換えスイッチに、一部の時間、前記負荷に対する電力供給を蓄電電力供給に保持し、他の一部の時間又は他の全部の時間、前記負荷に対する電力供給を系統電力供給に保持する切換えを行わせる制御を行うと共に、蓄電装置に蓄電されている電力のうちの一部のみが負荷に対する蓄電電力供給に使用されるようにする制御を行うようになされており、
太陽電池が備えられ、前記制御装置が、太陽光発電電力を負荷に供給する制御を行うようになされていると共に、太陽電池が発電した余剰電力は売電されるようになされており、
前記制御装置は、深夜電力を前記蓄電装置に蓄電する制御を行うようになされており、
負荷に対する電力供給が蓄電電力供給に保持される前記一部の時間帯において、前記太陽電池が発電しているとき、前記制御装置は、そのうちの一部の時間、負荷に対する電力供給を太陽光発電電力供給に保持し、残る時間、負荷に対する電力供給を蓄電電力供給に保持する切換えを前記切換えスイッチに行わせる制御を行うようになされていることを特徴とする、非常用電源機能を備えたポータブル電源システム。
【請求項２】
前記制御装置が、太陽光発電電力を前記蓄電装置に蓄電する制御を行うようになされている請求項１に記載の、非常用電源機能を備えたポータブル電源システム。
【発明の詳細な説明】
【技術分野】
【０００１】
本発明は、非常用電源機能を備えたポータブル電源システムに関する。
【背景技術】
【０００２】
蓄電装置が、商用電源と、商用電源からの電力供給を受けるようになされた照明等の一部の特定の負荷とに接続され、停電時に、該負荷に蓄電電力を供給し、復旧後、負荷への蓄電電力の供給を停止すると共に、商用電源からの電力の供給を受けて充電されるようになされた、非常用電源機能を備えた電源システムは、従来より提案されている。
【先行技術文献】
【特許文献】
【０００３】
【特許文献１】特開２００７−２５２１１７号公報
【発明の概要】
【発明が解決しようとする課題】
【０００４】
しかしながら、上記の電源システムでは、蓄電装置を、停電時の非常用電源として用いる構成となっているだけで、蓄電された電力を通常時にその他の用途に有効活用するというようなことができないという問題があった。
【０００５】
本発明は、上記のような問題点に鑑み、停電時の非常用電源としての機能を充分に発揮することができながら、蓄電された電力を通常時においても有効活用することができる、電源システムを提供することを課題とする。
【課題を解決するための手段】
【０００６】
上記の課題は、商用電源に接続される充電用接続部を備えて系統電力を蓄電することができるようになされた蓄電装置と、
該蓄電装置の放電用接続部と負荷とを接続して蓄電電力を該負荷に供給するか、商用電源と該負荷とを接続して系統電力を該負荷に供給するかの切換えを行う切換えスイッチと、
停電検知装置と、
制御装置と、
が備えられ、
前記停電検知装置が停電を検知したとき、その検知信号に基づいて、前記制御装置が、前記切換えスイッチに、前記負荷に対する電力供給を系統電力供給から蓄電電力供給に切り換えさせる制御を行い、蓄電電力が該負荷に供給されるようになされており、
前記蓄電装置は、その充電用接続部と商用電源との接続が解除可能であると共に、放電用接続部と前記切換えスイッチとの接続が解除可能で、これら接続を解除することにより持ち運び可能なポータブル性を備えたものからなっており、該接続解除状態において、放電用接続部に電気機器を接続することにより、該電気機器に蓄電電力を供給することができるようになされており、かつ、
前記制御装置は、前記停電検知装置が停電を検知しない通常時において、前記切換えスイッチに、一部の時間、前記負荷に対する電力供給を蓄電電力供給に保持し、他の一部の時間又は他の全部の時間、前記負荷に対する電力供給を系統電力供給に保持する切換えを行わせる制御を行うと共に、蓄電装置に蓄電されている電力のうちの一部のみが負荷に対する蓄電電力供給に使用されるようにする制御を行うようになされていることを特徴とする、非常用電源機能を備えたポータブル電源システムによって解決される（第１発明）。
【０００７】
このシステムでは、停電検知装置が停電を検知したとき、その検知信号に基づいて、制御装置が、切換えスイッチに、負荷に対する電力供給を系統電力供給から蓄電電力供給に切り換えさせる制御を行い、蓄電電力が負荷に供給されるようになされているので、停電時の非常用電源としての機能を充分に発揮することができる。
【０００８】
のみならず、蓄電装置は、その充電用接続部と商用電源との接続が解除可能であると共に、放電用接続部と前記切換えスイッチとの接続が解除可能で、これら接続を解除することにより、持ち運び可能なポータブル性を備えたものからなっており、該接続解除状態において、放電用接続部に電気機器を接続することにより、該電気機器に蓄電電力を供給することができるようになされているので、通常時に、充電用接続部と商用電源との接続を解除すると共に、放電用接続部と切換えスイッチとの接続を解除し、好みのところに持ち運んで、放電用接続部に電気機器を接続することで、電気機器に蓄電電力を供給して使用することができ、蓄電された電力を通常時においても有効活用することができる。
【０００９】
しかも、本発明では、制御装置は、停電検知装置が停電を検知しない通常時において、切換えスイッチに、一部の時間、前記負荷に対する電力供給を蓄電電力供給に保持する切換えを行わせる制御を行うようになされているので、蓄電された電力を、通常時において、ポータブル用途以外に、より一層有効活用することができ、
加えて、その場合に、制御装置は、蓄電装置に蓄電されている電力のうちの一部のみが負荷に対する蓄電電力供給に使用されるようにする制御を行うようになされているので、停電検知装置が停電を検知したとき、蓄電装置には必ず電力が残っており、蓄電電力を確実に負荷に供給することができて、停電時の非常用電源としての機能が損なわれてしまうこともない。
【００１０】
第１発明において、前記制御装置が、深夜電力を前記蓄電装置に蓄電する制御を行うようになされている場合は（第２発明）、蓄電装置が電気料金の相対的に高価な昼間に充電を行ってしまうのを防ぐことができて、充電コストを低く抑えることができる。
【００１１】
第１，第２発明において、太陽電池が備えられ、前記制御装置が、太陽光発電電力を前記蓄電装置に蓄電する制御を行うようになされている場合（第３発明）、及び、第１〜第３発明において、太陽電池が備えられ、前記制御装置が、太陽光発電電力を負荷に供給する制御を行うようになされている場合（第４発明）は、二酸化炭素排出量を削減することができる。
【発明の効果】
【００１２】
本発明は、以上のとおりのものであるから、停電時の非常用電源としての機能を充分に発揮することができながら、蓄電された電力を、通常時においても、ポータブル用途に有効活用することができると共に、ポータブル用途以外の用途にも、有効活用することができる。
【図面の簡単な説明】
【００１３】
【図１】実施形態のシステムの全体構成を示す説明図である。
【図２】図（イ）及び図（ロ）はそれぞれ制御のタイムスケジュールを示す図である。
【図３】図（イ）及び図（ロ）はそれぞれ、システムの作動状態を示す説明図である。
【図４】図（イ）及び図（ロ）はそれぞれ、システムの作動状態を示す説明図である。
【図５】図（ホ）は、システムの作動状態を示す説明図である。
【発明を実施するための形態】
【００１４】
次に、本発明の実施形態を図面に基づいて説明する。
【００１５】
図１に示す実施形態のシステム構成において、１は蓄電装置、２は切換えスイッチ、３は停電検知装置、４は制御装置、９は特定の負荷である。
【００１６】
蓄電装置１は、分電盤５を通じて商用電源６に接続される充電用接続部７を備えて、系統電力を蓄電することができるようになされている。
【００１７】
切換えスイッチ２は、蓄電装置１の放電用接続部８と負荷９を接続して蓄電電力を該負荷に供給するか、商用電源６と該負荷９とを接続して系統電力を該負荷９に供給するかの切換えを行うものであり、制御装置４による制御を受けて切換えが行われるようになされている。
【００１８】
制御装置４は、停電検知装置３が停電を検知したとき、その検知信号に基づいて、図４（ニ）に示すように、切換えスイッチ２に、負荷に対する電力供給を系統電力供給から蓄電電力供給に切り換えさせる制御を行い、そのような制御により、蓄電電力が該負荷９に供給されるようになされている。
【００１９】
そして、上記の蓄電装置１は、その充電用接続部７と分電盤５との接続を解除することができるようになっていると共に、放電用接続部８と切換えスイッチ２との接続も解除することができるようになっていて、これら接続を解除することにより持ち運びのできる、ポータブル性を備えたものからなっていて、図５（ホ）に示すように、そのような接続解除状態において、放電用接続部８に電気機器１１を接続することにより、該電気機器１１に蓄電電力を供給することができるようになされている。
【００２０】
また、本実施形態のシステムには、太陽電池１０が備えられ、該太陽電池１０が発電した電力を、売電したり、図３（ロ）に示すように、蓄電装置１に蓄電したり、負荷９に供給したりすることができるようになされている。また、同システムでは、図３（イ）に示すように、蓄電装置１の充電を、深夜電力を利用して行うようになされている。
【００２１】
そしてまた、本実施形態のシステムでは、停電検知装置３が停電を検知しない通常時において、切換えスイッチ２に、一部の時間、負荷９に対する電力供給を図４（ハ）に示すように蓄電電力供給に保持し、他の一部の時間又は他の全部の時間、負荷９に対する電力供給を系統電力供給に保持する切換えを行わせる制御が行われるようになされている。制御は、本実施形態では、上記の制御装置４の一部分を構成するものとして備えられているＨＥＭＳ（ホーム・エネルギー・マネジメント・システム）によって行われるようになされており、該ＨＥＭＳは、上記の通常時において、例えば、図２（イ）（ロ）に示すようなタイムスケジュールでシステムを制御するようになされている。
【００２２】
そして、上記の制御装置４の一部を構成しているＨＥＭＳは、通常時において、蓄電装置１に蓄電されている電力のうちの一部のみが負荷９に対する蓄電電力供給に使用されるようにする制御を行うようになされている。具体的には、例えば、蓄電装置１の蓄電容量が２ｋＷｈであった場合に、通常時において１ｋＷｈ分を負荷９に対する蓄電電力供給に使用し、残る１ｋＷｈは停電時のために蓄電されておくというような制御が行われるようになされていてもよい。ちなみに、停電時に、１ｋＷｈ分の蓄電電力があれば、携帯電話の充電は約８３時間（約４０台分）、テレビの視聴は８〜９時間、リビング照明の点灯は１０〜１１時間、冷蔵庫の稼働は約３２時間、それぞれ行うことができる。また、停電時は携帯電話の充電だけできればよいというような場合は２００Ｗ残し、停電時はテレビやリビング照明を５時間利用したいというような場合は１０００Ｗ残しておくというような制御が行われていてもよく、都合や好みに応じて任意に設定することができるようになされていてよい。
【符号の説明】
【００２３】
１…蓄電装置
２…切換えスイッチ
３…停電検知装置
４…制御装置
６…商用電源
７…充電用接続部
８…放電用接続部
９…負荷
１０…太陽電池
【図１】
0005894361.tif 000002
【図２】
0005894361.tif 000003
【図３】
0005894361.tif 000004
【図４】
0005894361.tif 000005
【図５】
0005894361.tif 000006